(57)【要約】      （修正有）【課題】リール本体の内部への異物の侵入を防止するとともに、侵入した場合でも速やかに除去可能な片軸受リールを提供する。【解決手段】片軸受リール１０のスプール１３は、糸巻胴部１６と、フランジ部１７ａ，１７ｂとを、有している。糸巻胴部１６には、釣り糸が巻き取られる。フランジ部１７ａ，１７ｂは、糸巻胴部１６の両端に設けられている。リール本体１１は、本体部２１と、支持軸１４と、カバー部２１ｅとを、有している。本体部２１は、釣り竿に装着可能である。支持軸１４は、本体部２１に設けられ、スプール１３を回転自在に支持する。カバー部２１ｅは、スプール１３のフランジ部１７ｂの少なくとも一部の外周側を、覆っている。カバー部２１ｅは、少なくとも１つの孔部２１ｇを、有している。ハンドル部１２は、リール本体１１に回転自在に装着され、スプール１３を回転させる。【選択図】図３
2014212753.tif 000002
【特許請求の範囲】
【請求項１】
片軸受リールであって、
釣り糸が巻き取られる糸巻胴部及び前記糸巻胴部の両端に設けられたフランジ部を、有するスプールと、
釣り竿に装着可能な本体部、前記本体部に設けられ前記スプールを回転自在に支持する支持軸、及び、前記スプールのフランジ部の少なくとも一部の外周側を覆い且つ少なくとも１つの孔部を有するカバー部を、有するリール本体と、
前記リール本体に回転自在に装着され、前記スプールを回転させるハンドル部と、
を備える片軸受リール。
【請求項２】
前記カバー部は、筒状に形成され、
前記カバー部は、前記スプールに対向する溝部を、さらに有している、
請求項１に記載の片軸受リール。
【請求項３】
前記孔部は、前記溝部の底部から外方に向けて、開口している、
請求項２に記載の片軸受リール。
【請求項４】
前記孔部は、前記支持軸を基準として重力が作用する方向において、前記カバー部に設けられている、
請求項１から３のいずれか１項に記載の片軸受リール。
【請求項５】
前記カバー部は、複数の孔部を有し、
前記複数の孔部は、間隔を隔てて、前記カバー部に設けられている、
請求項１から３のいずれか１項に記載の片軸受リール。
【請求項６】
前記複数の孔部の中の少なくとも１つは、前記支持軸を基準として重力が作用する方向において、前記カバー部に設けられている、
請求項５に記載の片軸受リール。
【発明の詳細な説明】
【技術分野】
【０００１】
本発明は、片軸受リールに関する。
【背景技術】
【０００２】
片軸受リールは、スプールと、リール本体と、ハンドル部とを、備えている（例えば、特許文献１を参照）。スプールは、糸巻胴部と、糸巻胴部の両端に設けられたフランジ部とを、有している。リール本体は、スプールを回転自在に支持している。リール本体は、カバー部を有している。カバー部は、スプールのフランジ部の外周側を、覆っている。これにより、スプールのフランジ部を保護するとともに、スプールの糸巻胴部に巻き取られた釣り糸が、リール本体に侵入しないように規制されている。ハンドル部は、リール本体に回転自在に装着され、スプールを回転させる。
【先行技術文献】
【特許文献】
【０００３】
【特許文献１】特開２０１１−７２２３９号公報
【発明の概要】
【発明が解決しようとする課題】
【０００４】
従来の片軸受リールでは、スプールのフランジ部の外周側をリール本体のカバー部によって覆うことによって、スプールのフランジ部の外周を保護するとともに、リール本体の内部に異物の混入を防止している。また、従来の片軸受リールでは、スプールの糸巻胴部に巻き取られた釣り糸が、リール本体に侵入しないように規制している。
【０００５】
一方で、釣人が片軸受リールを使って釣りを行う場合には、釣人は、釣餌を手で捏ねて団子状に形成する。そして、釣人は、この釣餌が手に付着した状態で、リールを操作することが多く、この釣餌が釣人の手からスプール（ex. スプールに巻き取られた釣り糸）に付着する。すると、この釣餌が、スプールのフランジ部とカバー部との間に侵入してしまうおそれがある。この釣餌によって、フランジ部とカバー部との間の摩擦が生じ、スプールのスムースな回転を阻害してしまうおそれがある。また、スプールに付着した釣餌は、リール本体の内部に侵入してしまうおそれもある。この場合、スプールを回転させた時に、異音が発生してしまうおそれがある。
【０００６】
また、実釣後のメンテナンス時において、カバー部に付着した釣餌等の異物を洗浄等によって除去しようとすると、手間がかかるだけでなく、洗浄液（水等）がリールに残ってしまうおそれもある。
【０００７】
本発明の課題は、リール本体の内部への異物の侵入を防止するとともに、異物が侵入した場合に速やかに除去可能な片軸受リールを、提供することにある。
【課題を解決するための手段】
【０００８】
発明１に係る片軸受リールは、スプールと、リール本体と、ハンドル部とを、備えている。スプールは、糸巻胴部と、フランジ部とを、有している。糸巻胴部は、釣り糸が巻き取られる部分である。フランジ部は、糸巻胴部の両端に設けられている。リール本体は、本体部と、支持軸と、カバー部とを、有している。本体部は、釣り竿に装着可能である。支持軸は、本体部に設けられ、スプールを回転自在に支持する。カバー部は、スプールのフランジ部の少なくとも一部の外周側を、覆っている。カバー部は、少なくとも１つの孔部を、有している。ハンドル部は、リール本体に回転自在に装着され、スプールを回転させる。
【０００９】
本片軸受リールでは、スプールに異物が付着し、異物がスプールのフランジ部とカバー部との間に侵入したとしても、スプールが回転すると、この異物を遠心力によってカバー部の孔部から除去することができる。また、異物がスプールのフランジ部とカバー部との間に侵入したとしても、メンテナンス時に、カバー部に付着した異物を、孔部から容易に取り除くことができる。このように、本片軸受リールでは、リール本体への異物の侵入を防止することができる。なお、異物とは、スプール、及び／又はスプールに巻き付けられた釣り糸に、付着した釣餌等を総称する文言である。
【００１０】
発明２に係る片軸受リールでは、発明１に記載の片軸受リールにおいて、カバー部が、筒状に形成されている。カバー部は、スプールに対向する溝部を、さらに有している。
【００１１】
この場合、カバー部が、スプールに対向する溝部を、有しているので、スプールに付着した異物を、この溝部に沿って孔部へと案内することができる。これにより、異物を効果的に除去することができる。また、スプールに付着した異物を、溝部に滞留させることができるので、メンテナンス時に、この異物を、容易に取り除くことができる。
【００１２】
発明３に係る片軸受リールでは、発明２に記載の片軸受リールにおいて、孔部が、溝部の底部から外方に向けて、開口している。この場合、孔部が、溝部の底部から外方に向けて、開口しているので、溝部に沿って孔部に案内された異物を、効果的に除去することができる。
【００１３】
発明４に係る片軸受リールでは、発明１から３のいずれか１項に記載の片軸受リールにおいて、孔部が、支持軸を基準として重力が作用する方向において、カバー部に設けられている。
【００１４】
この場合、孔部が、支持軸を基準として重力が作用する方向において、カバー部に設けられているので、異物がスプールのフランジ部とカバー部との間に侵入したとしても、この異物を、孔部から容易に除去することができる。すなわち、本片軸受リールでは、リール本体への異物の侵入を防止することができる。
【００１５】
発明５に係る片軸受リールでは、発明１から３のいずれか１項に記載の片軸受リールにおいて、カバー部が、複数の孔部を、有している。複数の孔部は、間隔を隔てて、カバー部に設けられている。この場合、複数の孔部が、間隔を隔ててカバー部に設けられているので、スプールに付着した異物を、複数の孔部から効率的に除去することができる。
【００１６】
発明６に係る片軸受リールでは、発明５に記載の片軸受リールにおいて、複数の孔部の中の少なくとも１つが、支持軸を基準として重力が作用する方向において、カバー部に設けられている。
【００１７】
この場合、複数の孔部の中の少なくとも１つが、支持軸を基準として重力が作用する方向において、カバー部に設けられているので、異物がスプールのフランジ部とカバー部との間に侵入したとしても、この異物を、孔部から容易に除去することができる。すなわち、本片軸受リールでは、リール本体への異物の侵入を防止することができる。
【発明の効果】
【００１８】
本発明によれば、リール本体の内部への異物の侵入を防止する片軸受リールを、提供することができる。
【図面の簡単な説明】
【００１９】
【図１】本発明の一実施形態を採用した片軸受リールの正面図。
【図２】その側面図。
【図３】図２のIII−III断面図。
【図４】図３の部分拡大断面図。
【発明を実施するための形態】
【００２０】
図１から図４において、本発明の一実施形態が採用された釣り用リールは、釣り糸を前方に放出可能な片軸受リール１０である。図１及び図２に示すように、片軸受リール１０は、釣り竿ＲＤに装着可能なリール本体１１と、リール本体１１に回転自在に装着されたハンドル１２と、ハンドル１２により回転するスプール１３と、を備えている。図３に示すように、スプール１３は、リール本体１１に片持ち支持されたスプール軸１４（支持軸の一例）に回転自在に支持されている。また、片軸受リール１０は、クラッチレバー２０と、クラッチ装置２５と、を備えている。
【００２１】
＜リール本体及びハンドルの構成＞
図１から図３に示すように、リール本体１１は、フレーム２１と、フレーム２１に固定された側カバー２３と、を有している。フレーム２１と側カバー２３との間には、ハンドル１２の回転をスプール１３に伝達する回転伝達機構２４と、クラッチ装置２５と、スプール１３の糸繰り出し方向の回転を制動するドラグ機構２６と、が配置されている。クラッチ装置２５は、ハンドル１２とスプール１３とを連結（クラッチオン状態）及び連結遮断（クラッチオフ状態）する。クラッチレバー２０は、クラッチ装置２５をクラッチオン状態からクラッチオフ状態に操作するための部材である。クラッチレバー２０は、側カバー２３の外側面に揺動自在に装着されている。
【００２２】
図３に示すように、フレーム２１は、中心にスプール１３の後述するボス部１５が通過可能な開口２１ａを有する第１円板部２１ｂと、第１円板部２１ｂの外周側に突出して形成された外筒部２１ｃと、開口２１ａに外筒部２１ｃと逆側に突出して形成された内筒部２１ｄと、有している。第１円板部２１ｂの外周側には、スプール１３の後述する内側フランジ部１７ｂを収容可能な鍔部２１ｅ（カバー部の一例）が、形成されている。
【００２３】
図３及び図４に示すように、鍔部２１ｅは、スプール１３の内側フランジ部１７ｂの少なくとも一部の外周側を、覆っている。鍔部２１ｅは、筒状に形成されている。鍔部２１ｅは、第１円板部２１ｂの外周部からスプール１３側に突出して、第１円板部２１ｂの外周部と一体に形成されている。
【００２４】
鍔部２１ｅは、溝部２１ｆと、複数の孔部２１ｇとを、有している。溝部２１ｆは、鍔部２１ｅの内周面に環状に形成されている。溝部２１ｆは、スプール１３の内側フランジ部１７ｂの少なくとも一部に、対向している。詳細には、溝部２１ｆは、スプール１３の内側フランジ部１７ｂの外周部に、対向している。
【００２５】
複数の孔部２１ｇは、鍔部２１ｅに設けられている。例えば、複数の孔部２１ｇそれぞれは、溝部２１ｆの底部１２１ｆ（図４を参照）において、周方向に間隔を隔てて配置されている。また、孔部２１ｇは、溝部２１ｆに沿って長孔形状に形成されている。孔部２１ｇは、溝部２１ｆの底部１２１ｆから外方に向けて、開口している。
【００２６】
さらに、複数の孔部２１ｇの中の少なくとも１つ（後述する第３孔部３２１ｇ）は、スプール軸１４を基準として重力が作用する方向（重力方向）において、鍔部２１ｅに設けられている。例えば、複数の孔部２１ｇの中の１つが、重力方向（図３におけるスプール軸１４の下方）において、鍔部２１ｅの溝部２１ｆに設けられている。
【００２７】
ここでは、７個の孔部２１ｇが、溝部２１ｆの底部１２１ｆに、周方向に間隔を隔てて形成されている。７個の孔部２１ｇの中の３個の第１孔部１２１ｇ（図１及び図２を参照）が、鍔部２１ｅの前方に設けられている。３個の第１孔部１２１ｇそれぞれは、所定の間隔を隔てて配置されている。また、７個の孔部２１ｇの中の３個の第２孔部２２１ｇ（図２を参照）が、鍔部２１ｅの後方に設けられている。３個の第２孔部２２１ｇは、３個の第１孔部１２１ｇと、径方向に対向している。３個の第２孔部２２１ｇそれぞれは、所定の間隔を隔てて配置されている。さらに、７個の孔部２１ｇの中の１個の第３孔部３２１ｇは、スプール軸１４の下方（重力方向）において、鍔部２１ｅの溝部２１ｆに設けられている。
【００２８】
なお、ここでは、片軸受リール１０が、釣り竿ＲＤを水平と仮定し、釣り竿ＲＤに対して垂直方向（下方）に取りつけられた状態の例を記載している。これに代えて、釣り竿ＲＤに対して垂直方向とは異なる方向に取り付けられた場合、例えば釣り竿ＲＤに対して斜めに取り付けられた場合、第１孔部１２１ｇ及び第２孔部２２１ｇのいずれかが、スプール軸１４に対して重力方向に設けられる。
【００２９】
図３に示すように、外筒部２１ｃの開口端（ハンドル１２側の端部）は、側カバー２３により塞がれている。内筒部２１ｄは、スプール１３内に入り込んだ釣り糸がボス部１５に巻き付くのを防止するための糸噛み防止部として機能する。外筒部２１ｃの外周面には、上保護部２２ａ及び下保護部２２ｂが、例えばネジ止め等の固定手段により固定されている。上保護部２２ａ及び下保護部２２ｂは、スプール１３の外周側を覆うように、側カバー２３と逆側に延びている。
【００３０】
上保護部２２ａには、片軸受リール１０を釣り竿ＲＤに装着するための前後に長い竿取付脚２２ｃが、例えばネジ止め等の固定手段により固定されている。下保護部２２ｂには、開口部２２ｄが形成されている（図１、図３、及び図４を参照）。開口部２２ｄは、第３孔部３２１ｇと対向するように、下保護部２２ｂに形成されている。
【００３１】
図１から図３に示すように、側カバー２３は、２本の連結ボルト（図示しない）により、フレーム２１に連結されている。側カバー２３は、外筒部２１ｃに嵌合固定される第２円板部２３ａと、第２円板部２３ａから膨出する有底筒状の膨出部２３ｂと、を有している。第２円板部２３ａの中心は、第１円板部２１ｂの中心を通る第１軸Ｘ１である。すなわち、第１円板部２１ｂの中心と第２円板部２３ａの中心とは、同芯である。第１軸Ｘ１は、竿取付脚２２ｃの長手方向（前後方向）と食い違う方向に沿って配置されている。
【００３２】
膨出部２３ｂは、回転伝達機構２４と、クラッチ装置２５と、ドラグ機構２６とを、収納するためのものである。膨出部２３ｂは、第１軸Ｘ１（図２）から偏芯した位置を中心Ｘ４（図２）として円形に軸方向外方（図２の紙面直交方向手前側）に膨出している。膨出部２３ｂには、ドラグ機構２６を収納するドラグ収納筒部２３ｃが、カシメ等の固定手段により、固定されている。ドラグ収納筒部２３ｃの中心を通る第２軸Ｘ２（図２）は、第１軸Ｘ１と平行に配置され、膨出部２３ｂの中心Ｘ４と第１軸Ｘ１をつなぐ直線Ｌ上で中心Ｘ４より径方向外方に配置されている。
【００３３】
ハンドル１２は、図１から図３に示すように、例えば、ハンドル把手３０と、ハンドルアーム３１とを、有している。ハンドル１２は、例えば、ダブルハンドル型である。ハンドル把手３０は、ハンドルアーム３１の両端部に装着されている。ハンドルアーム３１は、ハンドル軸３２の先端において、固定ボルト２７により一体回転可能に固定されている。
【００３４】
＜回転伝達機構の構成＞
図３に示すように、回転伝達機構２４は、ハンドル軸３２と、ハンドル軸３２に一体回転可能に連結されたメインギア３４と、メインギア３４に噛み合うピニオンギア３６と、を有している。ハンドル軸３２は、第２軸Ｘ２に沿って配置され、第１円板部２１ｂに装着された軸受３８、及び側カバー２３に装着されたローラクラッチ４０により、リール本体１１に対して、第２軸Ｘ２回りに回転自在に支持されている。ローラクラッチ４０は、ドラグ機構２６を作動させるとともに、ハンドル軸３２を支持している。
【００３５】
ハンドル軸３２の一端部には、ハンドルアーム３１が装着されている。具体的には、ハンドル軸３２の先端部において、ハンドルアーム３１がハンドル軸３２と一体回転可能に連結されている。さらに、ハンドル軸３２の他端部には、メインギア３４が一体回転可能に連結されている。また、ハンドル軸３２には、ドラグ機構２６が装着されている。ドラグ機構２６は、ハンドル軸３２に螺合するドラグ操作部８０を、ネジ締め込み方向に回すと、皿バネが圧縮される。すると、皿バネのバネ力に応じて、ドラグ力が強くなる。
【００３６】
メインギア３４は、例えば、黄銅製の円板形状の部材である。メインギア３４は、ハンドル軸３２に一体回転自在に装着されている。メインギア３４は、直歯ギアであり、たとえば歯数が４３である。
【００３７】
ピニオンギア３６は、スプール軸１４に回転自在かつ軸方向移動自在に装着されている。ピニオンギア３６は、例えば、しんちゅう製の筒状のギア本体４２を、有している。ギア本体４２には、メインギア３４が噛み合っている。ギア本体４２は、例えば直歯ギアであり、歯数が１２である。このため、回転伝達機構２４の増速比は、４３／１２となる。ギア本体４２の先端部には、クラッチ装置２５を構成する第１クラッチ係合部４４を、有している。
【００３８】
＜スプールの構成＞
図３に示すように、スプール１３は、スプール軸１４に回転自在に支持されている。スプール軸１４は、第１軸Ｘ１に沿って配置され、側カバー２３に固定ボルト２８により基端が固定されている。スプール軸１４は、基端側外周面にクラッチ装置２５を構成するバネ係合部７４を、有している。また、スプール軸１４の先端側には、テーパ部１４ａと環状のスプール係止溝１４ｂとが、間隔を隔てて形成されている。
【００３９】
スプール１３は、ボス部１５と、ボス部１５の外周側においてボス部１５と間隔を隔てて配置された糸巻胴部１６と、糸巻胴部１６の両端部に一体形成された外側フランジ部１７ａ及び内側フランジ部１７ｂと、を有している。外側フランジ部１７ａは、ハンドル１２から離反した側において、糸巻胴部１２ｂに一体に形成されている。内側フランジ部１７ｂは、ハンドル１２に近い側において、糸巻胴部１２ｂに一体に形成されている。内側フランジ部１７ｂは、フレーム２１（第１円板部２１ｂ）の鍔部２１ｅの内周側に配置されている。
【００４０】
ボス部１５は、スプール軸１４に回転自在に支持される。ボス部１５と糸巻胴部１６とは、円板状の連結部１８により連結されている。ボス部１５には、スプール１３をワンタッチでスプール軸１４に着脱するためのワンタッチ着脱機構５２と、クラッチ装置２５を構成する第２クラッチ係合部４８と、が設けられている。第２クラッチ係合部４８は、ボス部１５と一体回転可能である。ボス部１５の外周面には、キャップ部材４９が装着される。ボス部１５の内周面には、例えば玉軸受の形態の外側軸受５０及び内側軸受５１が間隔を隔てて配置されている。
【００４１】
ワンタッチ着脱機構５２は、スプール軸１４のスプール係止溝１４ｂと、スプール係止溝１４ｂに係合する着脱操作部材５６と、着脱操作部材５６を径方向外方（図３の上方）に付勢する捩りコイルバネ５７と、を有している。着脱操作部材５６は、９０度折り曲げられて形成された着脱操作部５６ａを、有している。
【００４２】
スプール１３をスプール軸１４から取り外す場合は、着脱操作部５６ａをスプール軸１４に接近する方向に向けて押圧する。すると、捩りコイルバネ５７と着脱操作部材５６との係合が外れ、スプール１３を取り外すことができる。また、スプール１３を装着する場合、着脱操作部材５６が、テーパ部１４ａにより案内される。そして、着脱操作部材５６がスプール係止溝１４ｂに配置されると、捩りコイルバネ５７の付勢力により、着脱操作部材５６がスプール係止溝１４ｂに係止され、スプール１３が抜け止めされる。
【００４３】
＜クラッチレバーの構成＞
図２に示すように、クラッチレバー２０は、側カバー２３の膨出部２３ｂの外側面の第１軸Ｘ１の上方に平行に配置された第３軸Ｘ３回りに、揺動自在に装着されている。なお、第２軸Ｘ２及び第３軸Ｘ３は、第１円板部２１ｂの中心に配置された第１軸Ｘ１を通る直線Ｌ上に上下に並べて配置されている。また、直線Ｌは、竿取付脚２２ｃの前後方向（図２左右方向）の中心位置で竿取付脚２２ｃと直角に交わっている。言い換えれば、第３軸Ｘ３は、第２軸Ｘ２と第１軸Ｘ１を挟んで逆側に配置されている。従って、リール本体１１を含めて片軸受リール１０は、前後方向において直線Ｌに対して概ね線対称に形成されている。
【００４４】
クラッチレバー２０は、リターンバネ７３の作用により、通常は、図２に示す位置に保持されている。クラッチレバー２０は、側カバー２３に固定ボルト２９により固定されたレバー軸６５と、レバー軸６５に一体回動可能に装着されたレバー本体６６と、レバー本体６６の先端にネジ止めされたレバーつまみ６７と、を備えている。レバー本体６６は、固定ボルト２９によりレバー軸６５に固定されている。このようなクラッチレバー２０を揺動させることによって、クラッチ装置２５のオンオフが設定される。なお、揺動操作が終わると、ピニオンギア３６は、リターンバネ７３の作用により、クラッチオン位置に復帰する。
【００４５】
＜クラッチ装置の構成＞
クラッチ装置２５は、クラッチレバー２０によりクラッチオン状態からクラッチオフ状態に切り換えられる。図３に示すように、クラッチ装置２５は、ピニオンギア３６のギア本体４２に設けられた第１クラッチ係合部４４と、スプール１３に設けられた第２クラッチ係合部４８と、クラッチ制御機構６２とを、有している。
【００４６】
クラッチ制御機構６２は、第１クラッチ係合部４４を第２クラッチ係合部４８に係合させることによって、クラッチのオンオフを制御する。クラッチ制御機構６２は、移動機構６８を有している。移動機構６８は、クラッチレバー２０の揺動に連動して回動するクラッチカム７０と、クラッチカムに係合するクラッチヨーク７１と、を有している。
【００４７】
クラッチカム７０は、クラッチレバー２０のレバー軸６５と一体回動可能である。これにより、クラッチカム７０は、クラッチレバー２０の揺動に連動して回動する。
【００４８】
クラッチヨーク７１は、クラッチレバー２０揺動に応じて、ピニオンギア３６をクラッチオン位置からクラッチオフ位置に移動させる。クラッチヨーク７１は、レバー軸６５に支持されて軸方向に移動自在である。クラッチヨーク７１は、ピニオンギア３６のギア本体４２に係合して、ピニオンギア３６を移動させる。クラッチヨーク７１の背面には、リターンバネ７３が配置されている。クラッチヨーク７１は、ギア本体４２に係合することにより回り止めされている。なお、図示しないリターン機構によって、ピニオンギア３６は、クラッチオフ位置からクラッチオン位置に復帰する。
【００４９】
＜スプールの回転時の異物除去動作＞
釣人がハンドル１２を回転させると、スプール１３が回転する。例えば、異物例えば釣餌が、スプール１３の外側フランジ部１７ａ、及び／又は糸巻胴部１６に巻き付けられた釣り糸に、付着していても、スプール１３が回転すると、釣餌には遠心力が作用し、この遠心力によって、スプールに付着した釣餌が、外方に取り除かれる。しかしながら、従来の構成では、釣餌が、スプール１３の内側フランジ部１７ｂと、フレーム２１の鍔部２１ｅとの間に侵入すると、この釣餌が内側フランジ部１７ｂと鍔部２１ｅとの間に堆積する。また、釣餌の堆積量が多くなると、釣餌が内側フランジ部１７ｂ及び／又は鍔部２１ｅと摺動し、スプール１３のスムースな回転を阻害する要因となる。また、この釣餌が、リール本体１１に侵入してしまった場合、釣餌が回転伝達機構等に干渉して、異音の発生及び／又は回転不良等が生じる原因となる。
【００５０】
一方で、本片軸受リール１０では、釣餌が、スプール１３の内側フランジ部１７ｂと、フレーム２１の鍔部２１ｅとの間に侵入した状態において、釣人がハンドル１２を回転させると、スプール１３の内側フランジ部１７ｂの回転によって、釣餌に遠心力が作用し、この釣餌が複数の孔部２１ｇ（１２１ｇ，２２１ｇ，３２１ｇ）から直接的に除去される。また、釣餌に遠心力が作用すると、この釣餌は、溝部２１ｆに当接し、溝部２１ｆに沿って各孔部２１ｇ（１２１ｇ，２２１ｇ，３２１ｇ）に、案内される。そして、釣餌が、各孔部２１ｇ（１２１ｇ，２２１ｇ，３２１ｇ）から除去される。
【００５１】
特に、第３孔部３２１ｇは、スプール軸１４の下方（重力方向）において、鍔部２１ｅの溝部２１ｆに設けられている。このため、スプール１３を回転していない場合においても、釣餌は、例えば、溝部２１ｆの水等によって、溝部２１ｆに沿って第３孔部３２１ｇに、案内される。そして、釣餌が、第３孔部３２１ｇから除去される。なお、溝部２１ｆの水等は、釣りの実行時の海水、及び／又はメンテナンス時に洗浄水等が、含まれる。
【００５２】
このように、本片軸受リール１０では、釣餌が孔部２１ｇから除去されるので、リール本体１１の内方への釣餌の侵入、例えばフレーム２１とスプール１３との間への釣餌の侵入を、防止することができる。
【００５３】
また、本片軸受リール１０では、メンテナンス時において、ワンタッチ着脱機構５２によってスプール１３をスプール軸１４から取り外すことによって、鍔部２１ｅの内周部にアクセス可能になる。この場合、溝部２１ｆ及び／又は各孔部２１ｇ（１２１ｇ，２２１ｇ，３２１ｇ）に残留した釣餌を取り除くだけで、容易にメンテナンスを行うことができる。
【００５４】
＜他の実施形態＞
以上、本発明の一実施形態について説明したが、本発明は上記実施形態に限定されるものではなく、発明の要旨を逸脱しない範囲で種々の変更が可能である。
【００５５】
（ａ）前記実施形態では、７個の孔部２１ｇが鍔部２１ｅに形成される場合の例を示したが、孔部２１ｇの数は、どのようにしてもよい。この場合においても、鍔部２１ｅには、少なくとも第３孔部３２１ｇを設けることが望ましい。
【００５６】
（ｂ）前記実施形態では、溝部２１ｆが鍔部２１ｅに環状に設けられる場合の例を示したが、溝部２１ｆは、複数の孔部２１ｇを連結するものであれば、部分的に形成してもよい。
【符号の説明】
【００５７】
１０      片軸受リール
１１      リール本体
１２      ハンドル
１３      スプール
１４      スプール軸（支持軸の一例）
１６      糸巻胴部
１７ａ    外側フランジ部
１７ｂ    内側フランジ部
２１      フレーム
２１ｃ    外筒部
２１ｅ    鍔部（カバー部の一例）
２２ｃ    竿取付脚
２１ｆ    溝部
２１ｇ    孔部
１２１ｇ  第１孔部
２２１ｇ  第２孔部
３２１ｇ  第３孔部（重力方向の孔部の一例）
【図１】
2014212753.tif 000003
【図２】
2014212753.tif 000004
【図３】
2014212753.tif 000005
【図４】
2014212753.tif 000006